(57)【要約】      （修正有）【課題】生体音の収集におけるタイミングを確実に通知できる生体音収集装置を提供する。【解決手段】集音部１１２は、被験者の生体音を収集する。タイミング通知部１４は、肺音等の生体音を生じさせる呼気、吸気等の複数のタイミングを、皮膚に刺激で通知する。制御部１２は、タイミングを決定する。その際生じる生体音を、生体音収集装置１０は収集する。生体音収集装置１０は収集した生体音をイヤホーン２に出力し、当該出力を医師が聞き取り、診察する。【選択図】図２
2014100283.tif 000002
【特許請求の範囲】
【請求項１】
被験者の生体音を収集する集音部と、
前記生体音を生じさせる複数のタイミングを、皮膚に刺激で通知するタイミング通知部と、
前記タイミングを決定する制御部と
を備えること
を特徴とする生体音収集装置。
【請求項２】
前記生体音を録音する録音部をさらに備え、
前記刺激は、
振動、圧力、熱、風、衝撃、接触のうちいずれかによって与えられるものであること
を特徴とする請求項１に記載の生体音収集装置。
【請求項３】
前記皮膚を前記刺激した際に生じる刺激音を、前記集音部が収集した前記生体音から除去し、除去生体音を生成する振動音除去部をさらに備えること
を特徴とする請求項１に記載の生体音収集装置。
【請求項４】
検出信号を生成するスイッチ部をさらに備え、
前記集音部は、
生体に当接して前記生体音に応じて振動する振動板と、
前記振動板の同縁部を囲って支持する振動板保持部材と、
を有し、
前記スイッチ部は、前記振動板保持部材に取り付けられ、
前記制御部は、
前記検出信号に基づいて、前記タイミングのうち少なくとも最初のタイミングを決定すること
を特徴とする請求項１に記載の生体音収集装置。
【請求項５】
前記制御部は、
前記集音部が収集する前記生体音の大きさを用いて、前記タイミングを決定することを特徴とする請求項１に記載の生体音収集装置。
【発明の詳細な説明】
【技術分野】
【０００１】
本発明は、生体音収集装置に関する。
【背景技術】
【０００２】
聴診器は、医療現場における聴診の道具として用いられている。特許文献１に記載の技術は、被測定者の肺音を収集する肺音収集装置において、肺音処理手段は、取り込まれた肺音のデータを処理する。表示手段は、所定形状の画像を表示する。制御手段は、表示手段での表示と肺音処理手段でのデータ処理を連動して制御する。制御手段は、表示手段で表示させる画像の形状の膨張と収縮とを繰り返えさせ、画像の膨張中に取り込んだ肺音のデータを、肺音処理手段で吸気音のデータとし、画像の収縮中に取り込んだ肺音のデータを、前記肺音処理手段で呼気音のデータとして処理するものである。
【先行技術文献】
【特許文献】
【０００３】
【特許文献１】特開２００７−１９００８１号公報
【発明の概要】
【発明が解決しようとする課題】
【０００４】
しかしながら、特許文献１に記載を用いても、被験者の視力が弱い場合や、表示装置を見られない状況または表示装置の設置が困難な環境にある場合などにおいて、生体音の収集におけるタイミングがわからないという欠点があった。このように、生体音の収集におけるタイミングが確実に通知できないという問題があった。
【０００５】
本発明は上記の点に鑑みてなされたものであり、生体音の収集におけるタイミングを確実に通知することができる生体音収集装置を提供することを課題とする。
【課題を解決するための手段】
【０００６】
（１）本発明は上記の課題を解決するためになされたものであり、本発明の一態様は、
生体音収集装置であって、被験者の生体音を収集する集音部と、前記生体音を生じさせる複数のタイミングを、皮膚に刺激で通知するタイミング通知部と、前記タイミングを決定する制御部とを備えることを特徴とする。
【発明の効果】
【０００７】
本発明によれば、生体音の収集におけるタイミングを確実に通知することができる。
【図面の簡単な説明】
【０００８】
【図１】本発明の第１の実施形態に係る生体音収集装置の使用状況の一例の概念図である。
【図２】本実施形態に係る生体音収集装置の構成の一例を示す概略ブロック図である。
【図３】本実施形態に係る生体音収集装置におけるスイッチ部の配置の一例を示す外観図である。
【図４】本実施形態に係る生体音収集装置におけるスイッチ部の配置の一例を示す図である。
【図５】本実施形態に係る生体音収集装置の動作の一例を示すフローチャートである。
【図６】本実施形態に係る本実施形態の変形例に係る生体音収集装置の構成の一例を示す概略ブロック図である。
【図７】本実施形態の変形例に係る生体音収集装置の構成の一例を示す概略ブロック図である。
【図８】本発明の第２の実施形態に係る生体音収集装置の構成の一例を示す概略ブロック図である。
【図９】本実施形態に係る生体音収集装置の動作の一例を示すフローチャートである。
【図１０】本発明の第３の実施形態に係る生体音取集装置の動作の一例を示すフローチャートである。
【図１１】本実施形態の変形例に係る生体音収集装置の動作の一例を示すフローチャートである。
【図１２】本発明の第４の実施形態に係る生体音収集装置の動作の一例を示すフローチャートである。
【図１３】本実施形態の変形例に係る生体音収集装置の動作の一例を示すフローチャートである。
【図１４】本発明の第５から第８の実施形態に係る生体音収集装置の構成の一例を示す概略ブロック図である。
【図１５】本発明の第５から第８の実施形態の変形例に係る生体音収集装置の構成の一例を示す概略ブロック図である。
【図１６】本発明の第９の実施形態に係る生体音収集装置の構成の一例を示す概略ブロック図である。
【図１７】本実施形態の変形例に係る生体音収集装置の構成の一例を示す概略ブロック図である。
【発明を実施するための形態】
【０００９】
（第１の実施形態）
以下、図面を参照しながら本発明の第１の実施形態について詳しく説明する。
第１の実施形態では、生体音収集装置１が皮膚に刺激を与えることで通知する場合について説明する。
図１は、本発明の第１の実施形態に係る生体音収集装置１の使用状況の一例を示す概念図である。
【００１０】
生体音収集システムにおける生体音収集状況Ｓ１では、医師Ｈ１、医療従事者Ｈ２、または被験者Ｈ３のいずれかの使用者が被験者Ｈ３の生体音を収集するために生体音収集装置１（以下、「チェストピース」とも称する）を被験者Ｈ３の被検部に当接させる。生体音収集装置１は、例えば、肺音を収集するために、吸気させることを医師Ｈ１、医療従事者Ｈ２、または被験者Ｈ３の少なくともいずれかの皮膚に刺激を与えることで通知する。膚に刺激を与えることで通知されたタイミング通知に基づいて、被験者Ｈ３は、吸気し、その際生じる被験者Ｈ３の生体音を、生体音収集装置１は、収集する。また、生体音収集装置１は、肺音を収集するために、呼気させることを医師Ｈ１、医療従事者Ｈ２、または被験者Ｈ３の少なくともいずれかの皮膚に刺激を与えることで通知する。通知されたタイミング通知に基づいて、被験者Ｈ３は、呼気し、その際生じる被験者Ｈ３の生体音を、生体音収集装置１は、収集する。
【００１１】
生体音収集装置１は、収集した被験者Ｈ３の生体音を、例えば、チェストピースに接続されるイヤホン２（「以下、イヤーピース」とも称する）に出力する。医師Ｈ１は、生体音収集装置１が収集した被験者Ｈ３の生体音を、イヤホン２を用いて聴き取り、診察する。
【００１２】
なお、以下の各実施形態において、生体音収集装置１と、イヤホン２とを接続して説明するが、本発明はこれに限定されない。
例えば、使用者は、生体音収集装置１のみを用いて被験者Ｈ３の生体音を収集し、収集した被験者Ｈ３の生体音を有線または無線を用いて直接またはネットワークを介して端末装置３、例えば、コンピュータに出力する。端末装置３が生体音収集装置１から被験者Ｈ３の生体音を取得すると、聴診状況Ｓ２に示すように、医師Ｈ１は、被験者Ｈ３の生体音を、端末装置３を用いて聴き取り、診察してもよい。
【００１３】
図２は、本実施形態に係る生体音収集装置１の構成の一例を示す概略ブロック図である。
生体音収集装置１は、録音部１１と、制御部１２と、スイッチ部１３と、タイミング通知部１４と、Ｄ／Ａ部１５とを含んで構成される。生体音収集装置１は、その他一般的な公知の生体音収集装置１の構成を備えるが、説明および図示は省略する。
【００１４】
録音部１１は、録音を開始することを指示する指示信号を受けると、生体音（例えば、肺音、関節の屈伸など）を集音し、集音した生体音を表すデジタルデータを生成する。録音部１１は、生成したデジタルデータに対して、データ処理を行い、記憶する。録音部１１の詳細な説明は後述する。
【００１５】
制御部１２は、検出信号（例えば、スイッチ部１３が出力した信号）に基づいて、録音の開始または終了を指示する指示信号を録音部１１に出力する。制御部１２は、検出信号に基づいて、第１の生体音（例えば、吸気することにより生じる生体音、関節を曲げることにより生じる生体音など）を録音部１１に録音させるための第１のタイミングの使用者または被験者の少なくとも一方への通知をタイミング通知部１４に指示する第１の通知指示信号を出力する。制御部１２は、検出信号に基づいて、第２の生体音（例えば、呼気することにより生じる生体音、関節を伸ばすことにより生じる生体音など）を録音部１１に録音させるための第２のタイミングの使用者または被験者の少なくとも一方への通知をタイミング通知部１４に指示する第２の通知指示信号を出力する。制御部１２の詳細な説明は後述する。
【００１６】
スイッチ部１３は、使用者または被験者が操作したことを示す検出信号を生成すると、該検出信号を制御部１２に出力する。
タイミング通知部１４は、制御部１２から第１の通知指示信号が入力されると、第１のタイミング通知信号を生成する。タイミング通知部１４は、生成した第１のタイミング通知信号に基づいて、被験者または使用者の少なくとも一方に第１の生体音の収集の第１のタイミングを通知する。タイミング通知部１４は、制御部１２から第２の通知指示信号が入力されると、第２のタイミング通知信号を生成する。タイミング通知部１４は、生成した第２のタイミング通知信号に基づいて、被験者または使用者の少なくとも一方に第２の生体音の収集の第２のタイミングを通知する。タイミング通知部１４の詳細な説明は後述する。
【００１７】
Ｄ／Ａ部１５は、データ処理部１１５から入力された録音または集音した生体音を示すデジタル信号をアナログ信号に変換する。Ｄ／Ａ部１５は、変換したアナログ信号をイヤホン２、例えば、イヤーピース、イヤホン、ヘッドホン、端末装置３などに出力する。
録音部１１は、集音部１１２と、マイク１１３と、Ａ／Ｄ部１１４と、データ処理部１１５と、メモリ１１６とを備える。集音部１１２は、振動板１１１を有する。
振動板１１１は、被験者の被検部（生体）に当接することで生体音、例えば、吸気音、呼気音に応じて振動する。集音部１１２は、振動板１１１の振動に応じて生体音を収集する。集音部１１２は、収集した生体音をマイク１１３に出力する。
【００１８】
マイク１１３は、集音部１１２が収集した生体音のアナログ信号を生成する。
Ａ／Ｄ部１１４は、マイク１１３が生成したアナログ信号をデジタル信号に変換する。Ａ／Ｄ部１１４は、変換したデジタル信号をデータ処理部１１５に出力する。
【００１９】
データ処理部１１５は、デジタル信号を量子化する。データ処理部１１５は、デジタル信号の周波数特性を変更、デジタル信号の特定の周波数帯域を強調または減少などのデータ処理を行う。また、データ処理部１１５は、生体音の周波数帯域、例えば２０Ｈｚ〜６００Ｈｚに合わせたバンドパスフィルタを用い、生体音と雑音とを分離するデータ処理をデジタル信号に対して行う。データ処理部１１５は、データ処理したデジタル信号をメモリ１１６に記憶させる。データ処理部１１５は、データ処理したデジタル信号をＤ／Ａ部１５に出力する。
【００２０】
メモリ１１６は、データ処理部１１５から入力されたデジタル信号を記憶する。メモリ１１６は、予めタイミング通知部１４が皮膚に刺激を与えることで通知する刺激（振動）、例えば、長い振動と短い振動、テンポの速い振動とテンポの遅い振動、強い振動と弱い振動、振動の通知回数の違い、二つの異なる振動などの振動を記憶している。
【００２１】
制御部１２は、スイッチ状態判定部１２１を備える。スイッチ状態判定部１２１は、スイッチ部１３が検出信号を生成しているか否かを判定する。スイッチ部１３が検出信号を生成している場合、制御部１２は、第１の通知指示信号を信号発生部１４１に出力し、録音部１１に集音の開始を指示する。一方、スイッチ部１３が検出信号を生成していない場合、制御部１２は、録音部１１を動作させない。制御部１２は、第１の通知指示信号を信号発生部１４１に出力した後、メモリ１１６に第１の生体音を格納する領域を確保し、第１の生体音を示す第１のタイミングラベル（第１のチャプタ）を設定する。制御部１２は、第１の通知指示信号を信号発生部１４１に出力した後、所定時間、例えば、１〜１０秒程度の時間、待機し、メモリ１１６に第１の生体音、例えば吸気によって生じる生体音を記憶させる。
【００２２】
スイッチ状態判定部１２１は、スイッチ部１３が検出信号を生成しているか否かを判定する。スイッチ部１３が検出信号を生成している場合、制御部１２は、第２の通知指示信号を信号発生部１４１に出力し、録音部１１に集音の開始を指示する。一方、スイッチ部１３が検出信号を生成していない場合、制御部１２は、録音部１１を動作させない。制御部１２は、第２の通知指示信号を信号発生部１４１に出力した後、メモリ１１６に第２の生体音を格納する領域を確保し、第２の生体音を示す第２のタイミングラベル（第２のチャプタ）を設定する。制御部１２は、第２の通知指示信号を信号発生部１４１に出力した後、所定時間、例えば、１〜１０秒程度の時間、待機し、メモリ１１６に第２の生体音、例えば呼気によって生じる生体音を記憶させる。
【００２３】
タイミング通知部１４は、信号発生部１４１と、振動発生デバイス１４２とを備える。
信号発生部１４１は、制御部１２から第１または第２の通知指示信号が入力されると、メモリ１１６から被験者または使用者に通知する第１または第２の振動のパターンを読み出し、第１または第２のタイミング通知信号を生成する。具体的には、信号発生部１４１は、駆動部の回転速度や差動時間をメモリ１１６から読み出してタイミング通知信号を生成する。信号発生部１４１は、生成した第１または第２のタイミング通知信号を振動発生デバイス１４２に出力する。
【００２４】
振動発生デバイス１４２は、例えば、駆動部に取り付けられた重心のずれた錘を回転させることにより振動を発生させる。振動発生デバイス１４２は、信号発生部１４１から入力された第１のタイミング通知信号に基づいて、被験者または使用者の少なくともいずれかに第１の生体音収集における第１のタイミングを通知する。振動発生デバイス１４２は、信号発生部１４１から入力された第２のタイミング通知信号に基づいて、被験者または使用者の少なくともいずれかに第２の生体音収集における第２のタイミングを通知する。
【００２５】
なお、本実施形態において、Ｄ／Ａ部１５は、生体音収集装置１に含まると説明しているが、例えば、生体音収集装置１がＤ／Ａ部１５を含まず、イヤホン２と、Ｄ／Ａ部１５とを含む別の装置、例えば端末装置３として構成してもよい。また、スイッチ部１３は、生体音収集装置１に含まれるとしているが、スイッチ部１３を有線または無線で接続してもよいし、スイッチピースとして別の装置として構成してもよい。さらに、振動発生デバイス１４２は、生体音収集装置１に含まれると説明しているが、有線または無線で接続してもよいし、タイミング通知装置として別装置で構成してもよい。
【００２６】
図３は、本実施形態に係る生体音収集装置１におけるスイッチ部１３の配置の一例を示す外観図である。
図３は、図２に示す生体音収集装置１の概略ブロック図を内部構成として備える筺体１０と、集音部１１２とを備える。集音部１１２は、筺体１０の一端部に配置される振動板１１１と、振動板１１１を筺体１０に保持する振動板保持部材１６と、を含み、振動板１１１が配置されない筺体１０の外周囲にスイッチ部１３とが配置される。
【００２７】
スイッチ部１３は、使用者または被験者によって操作されると、使用者または被験者が操作したことを示す検出信号を生成する。スイッチ部１３は、該検出信号を制御部１２に出力することにより、録音部１１が動作する。具体的には、例えば、スイッチ部１３が使用者または被験者によって押下されている間、スイッチがオンの状態を維持する。また、スイッチ部１３から使用者または被験者が押下をやめると、スイッチがオフ状態となる。
【００２８】
これにより、使用者または被験者が、手に持つ生体音収集装置１にスイッチ部１３があるため、簡単に操作ができる。
【００２９】
図４は、本実施形態に係る生体音収集装置１におけるスイッチ部１３の配置の一例を示す図である。
図４は、図２に示す生体音収集装置１の概略ブロック図を内部構成として備える筺体１０と、筺体１０の一端部に配置される集音部１１２とを備える。集音部１１２は、振動板１１１と、振動板１１１を筺体１０に同縁部を囲って支持する振動板保持部材１６と、振動板１１１の一部が同一平面上に露出するように設置された振動板保持部材１６のうち生体表面と当接する部分である接触面部１７と、導通点を有し、振動板保持部材１６に取り付けられるスイッチ部１３とを備える。
【００３０】
スイッチ部１３は、使用者または被験者によって操作されると、使用者または被験者が操作したことを示す検出信号を生成する。スイッチ部１３は、該検出信号を制御部１２に出力することにより、録音部１１が動作する。具体的には、例えば、スイッチ部１３が被験者に当接している間、スイッチがオンの状態を維持する。また、スイッチ部１３が被験者に当接していないとき、スイッチがオフ状態となる。
なお、スイッチ部１３には、押下式のスイッチを用いてもよいし、静電容量式のスイッチを用いてもよいし、押圧センサや赤外線または光センサなどの各種センサによるスイッチを用いてもよい。
これにより、複雑な手順なしに生体音の収集および該生体音を収集させるタイミングを被験者または使用者に通知することができる。
【００３１】
図５は、本実施形態に係る生体音収集装置１の動作の一例を示すフローチャートである。
スイッチ状態判定部１２１は、スイッチ部１３が検出信号を生成しているか否かを判定する（Ｆ１０１）。スイッチ部１３が検出信号を生成していない場合（Ｆ１０１−ＮＯ）、制御部１２は、録音部１１が被験者の生体音を録音しているか否かを判定する（Ｆ１１０）。一方、スイッチ部１３が検出信号を生成している場合（Ｆ１０１−ＹＥＳ）、制御部１２は、録音部１１に被験者の生体音の集音および録音の開始を指示する（Ｆ１０２）。録音部１１が録音中である場合、ステップＦ１０２を飛ばして、ステップＦ１０３の処理を行う。
【００３２】
制御部１２は、メモリ１１６に第１の生体音を格納する領域を確保し、第１の生体音を示す第１のタイミングラベル（第１のチャプタ）を設定する（Ｆ１０３）。
次に、制御部１２は、タイミング通知部１４の信号発生部１４１に第１の通知指示信号を出力する。信号発生部１４１は、生成した第１のタイミング通知を表す信号を振動発生デバイス１４２に出力する。振動発生デバイス１４２は、第１のタイミング通知を表す信号に基づいて、例えば、吸気により生じる生体音の収集のタイミングを被験者または使用者の少なくとも一方に、第１のタイミングを振動で通知する（Ｆ１０４）。
制御部１２は、第１の通知指示信号を信号発生部１４１に出力した後、所定時間、例えば、１〜１０秒程度の時間待機し（Ｆ１０５）、メモリ１１６に第１の生体音、例えば吸気によって生じる第１の生体音を記憶させる。
【００３３】
スイッチ状態判定部１２１は、スイッチ部１３が検出信号を生成しているか否かを判定する（Ｆ１０６）。スイッチ部１３が検出信号を生成していない場合（Ｆ１０６−ＮＯ）、制御部１２は、録音部１１が被験者の生体音を録音しているか否かを判定する（Ｆ１１０）。一方、スイッチ部１３が検出信号を生成している場合（Ｆ１０６−ＹＥＳ）、制御部１２は、メモリ１１６に第２の生体音を格納する領域を確保し、第２の生体音を示す第２のタイミングラベル（第２のチャプタ）を設定する（Ｆ１０７）。
【００３４】
次に、制御部１２は、タイミング通知部１４の信号発生部１４１に第２の通知指示信号を出力する。タイミング通知部１４の信号発生部１４１は、第２のタイミング通知を表す信号を生成する。信号発生部１４１は、生成した第２のタイミング通知を表す信号を振動発生デバイス１４２に出力する。振動発生デバイス１４２は、第２のタイミング通知を表す信号に基づいて、例えば、呼気のタイミングを被験者または使用者の少なくともいずれかに第２のタイミングを振動で通知する（Ｆ１０８）。
【００３５】
制御部１２は、第２の通知指示信号を信号発生部１４１に出力した後、所定時間、例えば、１〜１０秒程度の時間待機し（Ｆ１０９）、メモリ１１６に第２の生体音、例えば吸気によって生じる第２の生体音を記憶させる。その後、ステップＦ１０１に戻る。
【００３６】
ステップＦ１０１およびステップＦ１０６においてスイッチ部１３が検出信号を生成していないと判定した場合、制御部１２は、録音部１１が被験者の第２の生体音を録音しているか否かを判定する（Ｆ１１０）。
録音部１１が被験者の生体音を録音していない場合（Ｆ１１０−ＮＯ）、ステップＦ１０１に戻る。一方、録音部１１が被験者の生体音を録音している場合（Ｆ１１０−ＹＥＳ）、制御部１２は、録音部１１に被験者の生体音の集音および録音を停止させる停止指示信号を出力する（Ｆ１１１）。
【００３７】
なお、図６に示すように第１振動発生デバイス１４２ａと、第２振動発生デバイス１４３ａとを備え、例えば、左右の手に各々の振動発生デバイスを用いて皮膚に刺激、例えば、振動で生体音収集のタイミングを通知してもよく、被験者と使用者とに各々の振動発生デバイスを用いて皮膚に刺激（振動）生体音収集のタイミングを通知してもよい。
このように、本実施形態によれば、生体音の収集におけるタイミングを確実に通知することができる。また、生体音の収集のタイミングと関連付けて生体音を記憶することができる。
【００３８】
（第１の実施形態の変形例）
以下、図面を参照しながら本発明の第１の実施形態の変形例について詳しく説明する。
第１の実施形態の変形例では、生体音収集装置１ｂが振動で通知する際に生じる振動音と生体音とを分離し、振動音を除去する場合について説明する。
【００３９】
図７は、本実施形態の変形例に係る生体音収集装置１ｂの構成の一例を示す概略ブロック図である。
図２の生体音収集装置１の構成と、生体音収集装置１ｂの構成とを比較すると、録音部１１ｂのデータ処理部１１５ｂの構成が異なる。その他の構成は同様であるので説明は省略する。
【００４０】
データ処理部１１５ｂは、振動音除去部１１５１ｂを備える。振動音除去部１１５１ｂは、Ａ／Ｄ部１１４から入力された生体音と振動音が混ざり合ったデジタル信号が入力されると、該デジタル信号から生体音と振動音との分離を行い、振動音の除去を行う。具体的には、振動音除去部１１５１ｂは、集音した生体音に応じて、振動音の逆位相の音を加えて振動音のキャンセリングを行う。振動音の波形データは、予めメモリ１１６に記憶されている。データ処理部１１５ｂは、メモリ１１６から該波形データに応じて逆位相の波形を加えることで振動音のキャンセル処理を行う。データ処理部１１５ｂが行うキャンセリング処理技術は一般的に公知のキャンセリング処理を用いてもよい。
【００４１】
このように、本実施形態によれば、振動音と生体音とを分離し、振動によるタイミング通知により生じる音を除去することができる。振動発生デバイス１４２の搭載箇所に対する制約が軽減でき、振動発生デバイス１４２の搭載箇所の自由度を増すことができる。
なお、振動発生デバイス１４２を、生体音収集装置１ｂとは別に、タイミング通知装置として独立した装置を構成し、被験者または使用者の少なくともいずれかに該タイミング通知装置を生体音収集装置１ｂにより生体音収集している生体部位と離れている生体部位（例えば、手や腕）に保持させ、タイミングを通知してもよい。これにより、振動により生じる音と生体音とが混ざり合うことがなくなるため、振動音除去部１１５１ｂにおいて振動音を除去する手段が削減できる。
【００４２】
（第２の実施形態）
以下、図面を参照しながら本発明の第２の実施形態について詳しく説明する。
第１の実施形態では、生体音収集装置１が振動を利用して皮膚に刺激を与えることで通知する場合について説明した。本実施形態では、生体音収集装置１ｃが通知する振動を、スイッチ部１３を用いずに生体音の収集におけるタイミング通知の通知回数に基づいて、生体音収集のタイミングを通知する場合について説明する。
【００４３】
図８は、本発明の第２の実施形態に係る生体音収集装置１ｃの構成の一例を示す概略ブロック図である。
図２に示す第１の実施形態の生体音収集装置１の構成と、本実施形態の生体音収集装置１ｃの構成とを比較すると、スイッチ部１３および制御部１２のスイッチ状態判定部１２１が削除され、制御部１２ｃに繰り返し回数判定部１２２ｃが追加されている。その他の構成は同様であるので説明は省略する。
【００４４】
制御部１２ｃは、自装置の主電源が投入されると、検出信号を生成する。制御部１２ｃは、生成した検出信号に基づいて、録音の開始を指示する指示信号を録音部１１に出力する。また、制御部１２ｃは、生成した検出信号に基づいて、第１のタイミングを通知することを指示する第１の通知指示信号をタイミング通知部１４に出力する。制御部１２ｃは、生成した検出信号に基づいて、第２のタイミングを通知することを指示する第２の通知値指示信号をタイミング通知部１４に出力する。制御部１２ｃの詳細な説明は図９に示すフリーチャートを用いて後述する。
【００４５】
制御部１２ｃは、繰り返し回数判定部１２２ｃを含んで構成される。繰り返し回数判定部１２２ｃは、所定回数、例えば、２回ずつ第１および第２のタイミング通知が通知されたか否かを判定する。所定回数のタイミング通知が通知された場合、繰り返し回数判定部１２２ｃは、録音部１１に集音を終了させ、タイミング通知部１４に生体音収集のためのタイミング通知を終了させる。一方、所定回数のタイミング通知が通知されていない場合、繰り返し回数判定部１２２ｃは、タイミング通知部１４に生体音収集のためのタイミング通知を通知させ続ける。
【００４６】
図９は、本実施形態に係る生体音収集装置１ｃの動作の一例を示すフローチャートである。
制御部１２ｃは、主電源が投下されたことを表す検出信号を生成すると、録音部１１に集音および録音を開始させる指示を通知する（Ｆ２０１）。繰り返し回数判定部１２２ｃは、所定回数、例えば、２回ずつ呼気および吸気のタイミング通知が通知されたか否かを判定する（Ｆ２０２）。所定回数のタイミング通知が通知された場合（Ｆ２０２−ＹＥＳ）、制御部１２ｃは、録音部１１に集音および録音を終了させ、タイミング通知部１４に生体音収集のためのタイミング通知を終了させる（Ｆ２０９）。一方、所定回数のタイミング通知が通知されていない場合（Ｆ２０２−ＮＯ）、制御部１２ｃは、タイミング通知部１４に生体音収集のためのタイミング通知を通知させ続ける。
【００４７】
ステップＦ２０２−Ｎｏ以降ステップＦ１０３からステップＦ１０５、その次の動作としてステップＦ１０７からステップＦ１０９の動作を行うが、図５に示す第１の実施形態の生体音収集装置１と同様の動作を行うため、説明は省略する。なお、その際、本実施形態においては、制御部１２を制御部１２ｃと読み替えるものとする。
【００４８】
このように、本実施形態によれば、スイッチ部１３を省くことで、生体音収集装置１ｃの筺体１０や内部構成をコンパクトかつシンプルに実現することができる。
【００４９】
（第３の実施形態）
以下、図面を参照しながら本発明の第３実の施形態について詳しく説明する。
第１の実施形態では、生体音収集装置１が振動を利用して皮膚に刺激を与えることで通知する場合について説明した。本実施形態では、生体音収集におけるタイミングを通知する時間間隔を、閾値を用いて可変し、生体音の収集におけるタイミングを通知する場合について説明する。
【００５０】
図３に示す第１の実施形態の生体音収集装置１の構成と、本実施形態の生体音収集装置１の構成とを比較すると、同様であるので説明は省略する。なお、制御部１２の動作が異なる部分の説明をする。
【００５１】
制御部１２は、第１の生体音と、メモリ１１６に記憶されている第１の閾値とを比較し、第１の生体音が第１の閾値より大きいか否かを判定する。第１の生体音が第１の閾値より大きい場合、該第１の生体音が第２の閾値以下になったか否かを判定する。一方、第１の生体音が第１の閾値より小さい場合、制御部１２は、録音を続ける。また、第１の生体音が第１の閾値より大きくなり、その後、第２の閾値以下になった場合、制御部１２のスイッチ状態判定部１２１は、スイッチ部１３が検出信号を生成しているか否かを判定する。ここで、第１の閾値≧第２の閾値の関係とする。
【００５２】
制御部１２は、第２の生体音と、メモリ１１６に記憶されている第１の閾値とを比較し、第２の生体音が第１の閾値より大きいか否かを判定する。第２生体音が第１の閾値より大きい場合、第２の閾値以下になったか否かを判定する。一方、第２の生体音が第１の閾値より小さい場合、制御部１２は、録音を続ける。また、第２の生体音が第１の閾値より大きくなり、その後、第２の閾値以下になった場合、制御部１２のスイッチ状態判定部１２１は、スイッチ部１３が検出信号を生成しているか否かを判定する。ここで、第１の閾値≧第２の閾値の関係とする。
【００５３】
図１０は、本実施形態に係る生体音収集装置１の動作の一例を説明するフローチャートである。ステップＦ１０１からステップＦ１０４の動作は、図５に示す第１の実施形態の生体音収集装置１と同様の動作を行うため、説明は省略する。
【００５４】
制御部１２は、録音部１１が集音する第１の生体音と、メモリ１１６に記憶されている第１の閾値とを比較し、第１の生体音が第１の閾値より大きいか否かを判定する（Ｆ３０５）。第１の生体音が第１の閾値より大きい場合（Ｆ３０５−ＹＥＳ）、第２の閾値以下になったか否かを判定する（Ｆ３０６）。
【００５５】
一方、第１の生体音が第１の閾値より小さい場合（Ｆ３０５−ＮＯ）、制御部１２は、録音を続ける。また、第１の生体音が第１の閾値より大きくなり、その後、第２の閾値以下になった場合（Ｆ３０６−ＹＥＳ）、制御部１２のスイッチ状態判定部１２１は、スイッチ部１３が検出信号を生成しているか否かを判定する（Ｆ３０７）。一方、第１の生体音が第２の閾値より大きい場合（Ｆ３０６−ＮＯ）、制御部１２は、録音を続ける。ここで、第１の閾値≧第２の閾値の関係とする。
【００５６】
スイッチ部１３が検出信号を生成していない場合（Ｆ３０７−ＮＯ）、制御部１２は、録音部１１が被験者の生体音を録音しているか否かを判定する（Ｆ３１２）。一方、スイッチ部１３が検出信号を生成している場合（Ｆ３０７−ＹＥＳ）、制御部１２は、メモリ１１６に第２の生体音を格納する領域を確保し、第２の生体音を示す第２のタイミングラベル（第２のチャプタ）を設定する（Ｆ３０８）。制御部１２は、第２の通知指示信号を信号発生部１４１に出力する。タイミング通知部１４は、第２の生体音を収集する第２のタイミング通知を通知する（Ｆ３０９）。録音部１１は、メモリ１１６に第２の生体音を録音する。
【００５７】
制御部１２は、第２の生体音と、メモリ１１６に記憶されている第１の閾値とを比較し、第２の生体音が第１の閾値より大きいか否かを判定する（Ｆ３１０）。第２生体音が第１の閾値より大きい場合（Ｆ３１０−ＹＥＳ）、第２の閾値以下になったか否かを判定する（Ｆ３１１）。一方、第２の生体音が第１の閾値以下の場合（Ｆ３１０−ＮＯ）、制御部１２は、録音を続ける。第２の生体音が第２の閾値以下の場合（Ｆ３１１−ＹＥＳ）、ステップＦ１０１に戻る。一方、第２の生体音が第２の閾値より大きい場合（Ｆ３１１−ＮＯ）、制御部１２は、録音を続ける。
ステップＦ１０１およびステップＦ３０７においてスイッチ部１３が検出信号を生成していないと判定した場合、制御部１２は、録音部１１が被験者の生体音を録音しているか否かを判定する（Ｆ３１２）。
録音部１１が被験者の生体音を録音していない場合（Ｆ３１２−ＮＯ）、ステップＦ１０１に戻る。一方、録音部１１が被験者の生体音を録音している場合（Ｆ３１２−ＹＥＳ）、制御部１２は、録音部１１に被験者の生体音の集音および録音を停止させる停止指示信号を出力する（Ｆ３１３）。
【００５８】
このように、本実施形態によれば、患者のペースに合わせた生体音のタイミング通知ができるため、利便性が向上させることができる。また、生体音を所定時間でなく患者のペースに合わせて録音することで、メモリの使用量が軽減できる。さらに、患者が所定時間よりも長い時間を掛けて吸気または呼気を行った場合でも適切にタイミングを通知できる。
【００５９】
（第３の実施形態の変形例）
以下、図面を参照しながら本発明の第３の実施形態の変形例について詳しく説明する。
第３の実施形態では、生体音収集におけるタイミングを通知する時間間隔を、閾値を用いて可変し、生体音の収集におけるタイミングを通知する場合について説明した。第３の実施形態の変形例では、生体音収集におけるタイミングを通知する時間間隔を、閾値を用いて可変し、スイッチ部１３を用いずに生体音収集におけるタイミングを通知する場合について説明する。
【００６０】
第３の実施形態の変形例における生体音収集装置１ｃの構成と、第２の実施形態における生体音収集装置１ｃの構成とを比較すると、同様の構成であるので、説明は省略する。
【００６１】
制御部１２ｃは、自装置の主電源が投入されると、検出信号を生成する。制御部１２ｃは、生成した検出信号に基づいて、録音の開始を指示する指示信号を録音部１１に出力する。また、制御部１２ｃは、生成した検出信号に基づいて、第１のタイミングを通知することを指示する第１の通知指示信号をタイミング通知部１４に出力する。制御部１２ｃは、生成した検出信号に基づいて、第２のタイミングを通知することを指示する第２の通知値指示信号をタイミング通知部１４に出力する。制御部１２ｃの詳細な説明は図１１に示すフローチャートを用いて後述する。
【００６２】
図１１は、第３の実施形態の変形例に係る生体音収集装置１ｃの動作の一例を示すフローチャートである。
ステップＦ２０１およびステップＦ２０２は、図９の第２の実施形態に係る生体音収集装置１ｂの動作における各ステップと同様であるので説明は省略する。また、ステップＦ２０２の次の動作として、ステップＦ１０３およびステップＦ１０４の動作を行うが、図５の第１の実施形態に係る生体音収集装置１の動作における各ステップと同様であるので説明は省略する。なお、その際、制御部１２を制御部１２cと読み替えるものとする。また、ステップＦ１０４の次の動作として、ステップＦ３０５およびステップＦ３０６、その次の動作としてステップＦ３０８からステップＦ３１１、ステップＦ３１３の動作を行うが、図１０の第３の実施形態に係る生体音収集装置１の動作における各ステップと同様であるので説明は省略する。
【００６３】
このように、本実施形態によれば、患者のペースに合わせた生体音のタイミング通知ができるため、利便性が向上させることができる。また、生体音を所定時間でなく患者のペースに合わせて録音することで、メモリの使用量が軽減できる。さらに、患者が所定時間よりも長い時間を掛けて吸気または呼気を行った場合でも適切にタイミングを通知できる。さらに、スイッチ部１３を省くことで、生体音収集装置１ｃの筺体１０や内部構成をコンパクトかつシンプルに実現することができる。
【００６４】
（第４の実施形態）
以下、図面を参照しながら本発明の第４の実施形態について詳しく説明する。
本実施形態では、生体音収集装置１が生体音収集のためのタイミング通知を行い、所望の部分のみを録音する場合について説明する。
【００６５】
本実施形態に係る生体音収集装置１の構成と、第１の実施形態に係る生体音収集装置１の構成とを比較すると、同様の構成であるので、説明は省略する。なお、制御部１２の動作が異なるので、異なる部分のみ説明する。制御部１２の詳細な説明は、図１２に示すフローチャートを用いて後述する。
【００６６】
制御部１２は、録音部１１が集音する第１の生体音と、メモリ１１６に記憶されている第１の閾値とを比較し、第１の生体音が第１の閾値より大きいか否かを判定する。第１の生体音が第１の閾値より大きい場合、制御部１２は、録音部１１に録音を開始させる。
【００６７】
制御部１２は、録音部１１が集音する第１の生体音と、メモリ１１６に記憶されている第２の閾値とを比較し、該生体音が第２の閾値以下になったか否かを判定する。第１の生体音が第２の閾値以下になった場合、制御部１２は、録音部１１に録音を停止させる。ここで、第１の閾値≧第２の閾値の関係とする。制御部１２のスイッチ状態判定部１２１は、スイッチ部１３が検出信号を生成しているか否かを判定する。
【００６８】
スイッチ部１３が検出信号を生成していない場合、制御部１２は、生体音を集音しているか否かを判定する。スイッチ部１３が検出信号を生成している場合、制御部１２は、録音部１１が集音する第２の生体音と、メモリ１１６に記憶されている第１の閾値とを比較し、生体音が第１の閾値より大きいか否かを判定する。第２の生体音が第１の閾値より大きい場合、制御部１２は、録音部１１に録音を開始させる。制御部１２は、録音部１１が集音する第２の生体音と、メモリ１１６に記憶されている第２の閾値とを比較し、第２の生体音が第２の閾値以下であるか否かを判定する。第２の生体音が第２の閾値以下である場合、制御部１２は、録音部１１に録音を停止させる。
【００６９】
図１２は、本実施形態に係る生体音収集装置１の動作の一例を示すフローチャートである。
スイッチ状態判定部１２１は、スイッチ部１３が検出信号を生成しているか否かを判定する（Ｆ５０１）。スイッチ部１３が検出信号を生成していない場合（Ｆ５０１−ＮＯ）、制御部１２は、録音部１１が被験者の生体音を集音しているか否かを判定する（Ｆ５１６）。一方、スイッチ部１３が検出信号を生成している場合（Ｆ５０１−ＹＥＳ）、制御部１２は、録音部１１に被験者の生体音の集音の開始を指示する（Ｆ５０２）。録音部１１が集音中である場合、ステップＦ５０２を飛ばして、ステップＦ５０３の処理を行う。
【００７０】
制御部１２は、第１のタイミングを通知することを指示する第１の通知指示信号をタイミング通知部１４に出力し、タイミング通知部１４は、第１の生体音収集の第１のタイミングを通知する（Ｆ５０３）。制御部１２は、録音部１１が集音する第１の生体音と、メモリ１１６に記憶されている第１の閾値とを比較し、第１の生体音が第１の閾値より大きいか否かを判定する（Ｆ５０４）。第１の生体音が第１の閾値より大きい場合（Ｆ５０４−ＹＥＳ）、制御部１２は、録音部１１に録音を開始させる（Ｆ５０５）。一方、第１の生体音が第１の閾値以下の場合（Ｆ５０４−ＮＯ）、制御部１２は、第１の生体音が第１の閾値より大きいか否かの判定を続ける（Ｆ５０４）。次に、制御部１２は、メモリ１１６に第１の生体音を格納する領域を確保し、第１の生体音を示す第１のタイミングラベル（第１のチャプタ）を設定する（Ｆ５０６）。
【００７１】
制御部１２は、録音部１１が集音する第１の生体音と、メモリ１１６に記憶されている第２の閾値とを比較し、第１の生体音が第２の閾値以下になったか否かを判定する（Ｆ５０７）。第１の生体音が第２の閾値以下になった場合（Ｆ５０７−ＹＥＳ）、制御部１２は、録音部１１に録音を停止させる（集音は継続）（Ｆ５０８）。一方、第１の生体音が第２の閾値より大きい場合（Ｆ５０７−ＮＯ）、制御部１２は、録音を続ける。ここで、第１の閾値≧第２の閾値の関係とする。制御部１２のスイッチ状態判定部１２１は、スイッチ部１３が検出信号を生成しているか否かを判定する（Ｆ５０９）。
【００７２】
スイッチ部１３が検出信号を生成していない場合（Ｆ５０９−ＮＯ）、制御部１２は、生体音を集音しているか否かを判定する（Ｆ５１６）。スイッチ部１３が検出信号を生成している場合（Ｆ５０９−ＹＥＳ）、制御部１２は、第２のタイミングを通知することを指示する第２の通知指示信号をタイミング通知部１４に出力し、タイミング通知部１４は、第２の生体音収集の第２のタイミングを通知する（Ｆ５１０）。制御部１２は、録音部１１が集音する第２の生体音と、メモリ１１６に記憶されている第１の閾値とを比較し、第２の生体音が第１の閾値より大きいか否かを判定する（Ｆ５１１）。第２の生体音が第１の閾値より大きい場合（Ｆ５１１−ＹＥＳ）、制御部１２は、録音部１１に録音を開始させる（Ｆ５１２）。一方、生体音が第２の閾値以下の場合（Ｆ５１１−ＮＯ）、制御部１２は、第２の生体音が第１の閾値より大きいか否かの判定を続ける（Ｆ５１１）。次に、制御部１２は、メモリ１１６に第２の生体音を格納する領域を確保し、第２の生体音を示す第２のタイミングラベル（第２のチャプタ）を設定する（Ｆ５１３）。
【００７３】
制御部１２は、録音部１１が集音する生体音と、メモリ１１６に記憶されている第２の閾値とを比較し、該生体音が第２の閾値以下であるか否かを判定する（Ｆ５１４）。該生体音が第２の閾値以下である場合（Ｆ５１４−ＹＥＳ）、制御部１２は、録音部１１に録音を停止させる（集音は継続）（Ｆ５１５）。その後、ステップＦ５０１に戻る。一方、該生体音が第２の閾値より大きい場合（Ｆ５１４−ＮＯ）、制御部１２は、録音を続ける。
ステップＦ５０１およびステップＦ５０９においてスイッチ部１３が検出信号を生成していないと判定した場合、制御部１２は、録音部１１が被験者の生体音を集音しているか否かを判定する（Ｆ５１６）。
録音部１１が被験者の生体音を集音していない場合（Ｆ５１６−ＮＯ）、ステップＦ５０１に戻る。一方、録音部１１が被験者の生体音を集音している場合（Ｆ５１６−ＹＥＳ）、制御部１２は、録音部１１に被験者の生体音の集音を停止させる停止指示信号を出力する（Ｆ５１７）。
【００７４】
このように、本実施形態によれば、患者のペースに合わせた生体音のタイミング通知ができるだけでなく、生体音の不要な部分（無音区間等）を省くことができるため、録音に使用するメモリの使用量が軽減できる。
【００７５】
（第４の実施形態の変形例）
第４の実施形態の変形例では、スイッチ部１３を用いずに生体音収集装置１ｃが生体音収集のタイミングを通知し、所望の部分のみを録音する場合について説明する。
【００７６】
第４の実施形態の変形例の生体音収集装置１ｃの構成と、第２の実施形態に係る生体音収集装置１ｃの構成とを比較すると、同様であるので説明は省略する。なお制御部１２ｃの動作が異なるので、異なる部分のみ説明する。
【００７７】
制御部１２ｃは、録音部１１が集音した第１の生体音と、メモリ１１６に記憶されている第１の閾値とを比較し、第１の生体音が第１の閾値より大きいか否かを判定する。第１の生体音が第１の閾値より大きい場合、制御部１２ｃは録音部１１に録音の開始を指示する。制御部１２ｃは、第１の生体音が第２の閾値以下であるか否かを判定する。第１の生体音が第２の閾値以下である場合、制御部１２ｃは、録音部１１に録音を停止させる。
制御部１２ｃは、録音部１１が集音した第２の生体音と、メモリ１１６に記憶されている第１の閾値とを比較し、第２の生体音が第１の閾値より大きいか否かを判定する。第２の生体音が第１の閾値より大きい場合、制御部１２ｃは録音部１１に録音の開始を指示する。制御部１２ｃは、第２の生体音が第２の閾値以下であるか否かを判定する。第２の生体音が第２の閾値以下である場合、制御部１２ｃは、録音部１１に録音を停止させる。
【００７８】
図１３は、本実施形態に係る生体音収集装置１ｃの動作の一例を示すフローチャートである。
制御部１２ｃは、自装置の主電源が投入されると、検出信号を生成する。制御部１２ｃは、生成した検出信号に基づいて、集音の開始を指示する指示信号を録音部１１に出力する（Ｆ６０１）。
【００７９】
繰り返し回数判定部１２２ｃは、所定回数、例えば、２回ずつ第１および第２のタイミング通知が通知されたか否かを判定する（Ｆ６０２）。所定回数のタイミング通知が通知された場合（Ｆ６０２−ＹＥＳ）、制御部１２ｃは、録音部１１に生体音の集音を終了させ、タイミング通知部１４に生体音収集のためのタイミング通知を終了させる（Ｆ６１５）。一方、所定回数のタイミング通知が通知されていない場合（Ｆ６０２−ＮＯ）、制御部１２ｃは、第１のタイミングを通知することを指示する第１の通知指示信号をタイミング通知部１４に出力し、タイミング通知部１４は、第１の生体音収集の第１のタイミングを通知する（Ｆ６０３）。
【００８０】
制御部１２ｃは、録音部１１が集音した第１の生体音と、メモリ１１６に記憶されている第１の閾値とを比較し、第１の生体音が第１の閾値より大きいか否かを判定する（Ｆ６０４）。第１の生体音が第１の閾値より大きい場合（Ｆ６０４−ＹＥＳ）、制御部１２ｃは録音部１１に録音の開始を指示する（Ｆ６０５）。一方、第１の生体音が第１の閾値以下の場合（Ｆ６０４−ＮＯ）、制御部１２ｃは、第１の生体音が第１の閾値より大きいか否かの判定を続ける（Ｆ６０４）。次に、制御部１２ｃは、メモリ１１６に第１の生体音を格納する領域を確保し、第１の生体音を示す第１のタイミングラベル（第１のチャプタ）を設定する（Ｆ６０６）。制御部１２ｃは、録音部１１が集音した第１の生体音が第２の閾値以下であるか否かを判定する（Ｆ６０７）。第１の生体音が第２の閾値以下である場合（Ｆ６０７−ＹＥＳ）、制御部１２ｃは、録音部１１に録音を停止させる（集音は継続）（Ｆ６０８）。一方、第１の生体音が第２の閾値より大きい場合（Ｆ６０７−ＮＯ）、制御部１２ｃは、録音を続ける。
【００８１】
制御部１２ｃは、第２のタイミングを通知することを指示する第２の通知指示信号をタイミング通知部１４に出力し、タイミング通知部１４は、第２の生体音収集の第２のタイミングを通知する（Ｆ６０９）。制御部１２ｃは、録音部１１が集音した第２の生体音と、メモリ１１６に記憶されている第１の閾値とを比較し、第２の生体音が第１の閾値より大きいか否かを判定する（Ｆ６１０）。第２の生体音が第１の閾値より大きい場合（Ｆ６１０−ＹＥＳ）、制御部１２ｃは録音部１１に録音の開始を指示する（Ｆ６１１）。一方、第２の生体音が第１の閾値以下の場合（Ｆ６１０−ＮＯ）、制御部１２ｃは、第２の生体音が第１の閾値より大きいか否かの判定を続ける（Ｆ６１０）。次に、制御部１２ｃは、メモリ１１６に第２の生体音を格納する領域を確保し、第２の生体音を示す第２のタイミングラベル（第２のチャプタ）を設定する（Ｆ６１２）。制御部１２ｃは、録音部１１が集音した第２の生体音が第２の閾値以下であるか否かを判定する（Ｆ６１３）。第２の生体音が第２の閾値以下である場合（Ｆ６１３−ＹＥＳ）、制御部１２ｃは、録音部１１に録音を停止させる（集音は継続）（Ｆ６１４）。その後、ステップＦ６０２に戻る。一方、第２の生体音が第２の閾値より大きい場合（Ｆ６１３−ＮＯ）、制御部１２ｃは、録音を続ける。
【００８２】
このように、本実施形態によれば、患者のペースに合わせた生体音のタイミング通知ができるだけでなく、生体音の不要な部分（無音区間等）を省くことができるため、録音に使用するメモリの使用量が軽減できる。さらに、スイッチ部１３を省くことで、生体音収集装置１ｃの筺体１０や内部構成をコンパクトかつシンプルに実現することができる。
【００８３】
（第５の実施形態）
第１の実施形態では、生体音収集におけるタイミングを、振動発生デバイス１４２を用いて通知する場合について説明した。本実施形態では、生体音収集におけるタイミングを、触覚検知可能なもの発生デバイス１４４ｄを用いて圧力で通知する場合について説明する。
【００８４】
図１４は、第５の実施形態に係る生体音収集装置１ｄの構成の一例を示す概略ブロック図である。
第１の実施形態における生体音収集装置１の構成と、第５の実施形態における生体音収集装置１ｄの構成とを比較すると、タイミング通知部１４ｄの構成が異なる。その他の構成は同様であるので説明は省略する。
【００８５】
生体音収集装置１ｄのタイミング通知部１４ｄは、信号発生部１４１ｄと、触覚検知可能なもの発生デバイス１４４ｄとを含んで構成される。触覚検知可能なもの発生デバイス１４４ｄが圧力発生デバイスである場合について説明する。
信号発生部１４１ｄは、制御部１２から第１のタイミング通知信号が入力されると、メモリ１１６から第１の圧力発生パターンを示す情報を読み出す。信号発生部１４１ｄは、読み出した第１の圧力発生パターンを示す情報に応じた圧力パターン、例えば、吸気のタイミングを通知する場合、加圧させる信号を示す加圧信号を触覚検知可能なもの発生デバイス１４４ｄに出力する。信号発生部１４１ｄは、制御部１２から第２のタイミング通知信号が入力されると、メモリ１１６から第２の圧力発生パターンを示す情報を読み出す。信号発生部１４１ｄは、読み出した第２の圧力発生パターンを示す情報に応じた圧力パターン、例えば、吸気のタイミングを通知する場合、減圧させる信号を示す減圧信号を触覚検知可能なもの発生デバイス１４４ｄに出力する。
【００８６】
触覚検知可能なもの発生デバイス１４４ｄは、ポンプおよびバルーンを備えており、信号発生部１４１ｄから入力される加圧信号または減圧信号に応じてポンプを用いてバルーンを膨張または収縮させる。触覚検知可能なもの発生デバイス１４４ｄは、例えば、腕や足などに巻きつけるベルト状のものであってもよいし、バルーンが皮膚に接触または非接触する構造のものであってもよいし、皮膚で加圧されていること、および減圧されていることが感知できる構造を有するデバイスであればよい。触覚検知可能なもの発生デバイス１４４ｄは、バルーンを膨張または収縮することで皮膚に刺激（例えば、圧力の加減圧をすることにより与える刺激）を加えることで、生体音収集のタイミングを通知する。
【００８７】
このように、本実施形態によれば、生体音の収集におけるタイミングを確実に通知することができる。また、圧力による通知は、呼吸の吸気（膨らむ）、呼気（萎む）と相似性があるため、直感的に分かり易くタイミングを通知できる。
【００８８】
（第５の実施形態の変形例）
第５の実施形態において、スイッチ部１３が検出信号を検出することで生体音の収集を行うタイミングを、触覚検知可能なもの発生デバイス１４４ｄを用いて圧力で通知する場合について説明した。第５の実施形態の変形例では、スイッチ部１３を用いることなく生体音の収集を行うタイミングを、触覚検知可能なもの発生デバイス１４４ｄを用いて圧力通知する場合について説明する。
【００８９】
図１５に、本発明の第５の実施形態の変形例に係る生体音収集装置１ｅの構成の一例を示す概略ブロック図である。
第５の実施形態における生体音収集装置１ｄの構成と、第５の実施形態の変形例における生体音収集装置１ｅの構成とを比較するとスイッチ部１３と、制御部１２のスイッチ状態判定部１２１が削除され、制御部１２ｃに繰り返し回数判定部１２２ｃが追加されている。その他の構成は同様であるので説明は省略する。また、制御部１２ｃの繰り返し回数判定部１２２ｃの構成は、第２の実施形態における制御部１２ｃの繰り返し回数判定部１２２ｃと同様の構成であるので説明は省略する。
【００９０】
このように、本実施形態によれば、スイッチ部１３を省くことで、生体音収集装置１ｄの筺体１０や内部構成をコンパクトかつシンプルに実現することができる。
【００９１】
（第６の実施形態）
第１の実施形態では、生体音収集におけるタイミングを、振動発生デバイス１４２を用いて通知する場合について説明した。本実施形態では、生体音収集におけるタイミングを、触覚検知可能なもの発生デバイス１４４ｄを用いて衝撃で通知する場合について説明する。
【００９２】
図１４は、第６の実施形態に係る生体音収集装置１ｄの構成の一例を示す概略ブロック図である。
第１の実施形態における生体音収集装置１の構成と、第６の実施形態における生体音収集装置１ｄの構成とを比較すると、タイミング通知部１４ｄの構成が異なる。その他の構成は同様であるので説明は省略する。
【００９３】
生体音収集装置１ｄのタイミング通知部１４ｄは、信号発生部１４１ｄと、触覚検知可能なもの発生デバイス１４４ｄとを含んで構成される。触覚検知可能なもの発生デバイス１４４ｄが衝撃発生デバイスである場合について説明する。
信号発生部１４１ｄは、制御部１２から第１のタイミング通知信号が入力されると、メモリ１１６から第１の衝撃発生パターンを示す情報を読み出す。ここで、衝撃パターンとは、例えば、皮膚に刺激を与える衝撃の強弱、衝撃の回数、衝撃の強弱および衝撃の回数の組み合わせなどのことである。信号発生部１４１ｄは、読み出した第１の衝撃発生パターンを示す情報に応じた衝撃パターン、例えば、吸気のタイミングを通知する場合、皮膚に刺激として強い衝撃を与える信号を示す強衝撃信号を触覚検知可能なもの発生デバイス１４４ｄに出力する。信号発生部１４１ｄは、制御部１２から第２のタイミング通知信号が入力されると、メモリ１１６から第２の衝撃発生パターンを示す情報を読み出す。信号発生部１４１ｄは、読み出した第２の衝撃発生パターンを示す情報に応じた衝撃パターン、例えば、吸気のタイミングを通知する場合、皮膚に刺激として弱い衝撃を与える信号を示す弱衝撃信号を触覚検知可能なもの発生デバイス１４４ｄに出力する。
【００９４】
触覚検知可能なもの発生デバイス１４４ｄは、アクチュエーターやサーボモータなどを備えており、信号発生部１４１ｄから入力される強衝撃信号または弱衝撃信号に応じて衝撃を発生させる。触覚検知可能なもの発生デバイス１４４ｄは、発生させた衝撃で皮膚に刺激を加えることで、生体音収集のタイミングを通知する。
【００９５】
このように、本実施形態によれば、生体音の収集におけるタイミングを確実に通知することができる。また、衝撃による通知は、衝撃の作用時間が短いため、通知による不要音が発生しにくく、生体音への影響が少ない。そのため、通知による不要音を除去する手段を削減できる。
【００９６】
（第６の実施形態の変形例）
第６の実施形態において、スイッチ部１３が検出信号を検出することで生体音の収集を行うタイミングを、触覚検知可能なもの発生デバイス１４４ｄを用いて衝撃で通知する場合について説明した。第６の実施形態の変形例では、スイッチ部１３を用いることなく生体音の収集を行うタイミングを、触覚検知可能なもの発生デバイス１４４ｄを用いて衝撃で通知する場合について説明する。
【００９７】
図１５は、本発明の第７の実施形態の変形例に係る生体音収集装置１ｅの構成の一例を示す概略ブロック図である。
第６の実施形態における生体音収集装置１ｄの構成と、第６の実施形態の変形例における生体音収集装置１ｅの構成とを比較するとスイッチ部１３と、制御部１２のスイッチ状態判定部１２１が削除され、制御部１２ｃに繰り返し回数判定部１２２ｃが追加されている。その他の構成は同様であるので説明は省略する。また、制御部１２ｃの繰り返し回数判定部１２２ｃの構成は、第２の実施形態における制御部１２ｃの繰り返し回数判定部１２２ｃと同様の構成であるので説明は省略する。
【００９８】
このように、本実施形態によれば、スイッチ部１３を省くことで、生体音収集装置１ｅの筺体１０や内部構成をコンパクトかつシンプルに実現することができる。
【００９９】
（第７の実施形態）
第１の実施形態では、生体音収集におけるタイミングを、振動発生デバイス１４２を用いて通知する場合について説明した。本実施形態では、生体音収集におけるタイミングを、触覚検知可能なもの発生デバイス１４４ｄを用いて熱で通知する場合について説明する。
【０１００】
図１４は、第７の実施形態に係る生体音収集装置１ｄの構成の一例を示す概略ブロック図である。
第１の実施形態における生体音収集装置１の構成と、第７の実施形態における生体音収集装置１ｄの構成とを比較すると、タイミング通知部１４ｄの構成が異なる。その他の構成は同様であるので説明は省略する。
【０１０１】
生体音収集装置１ｄのタイミング通知部１４ｄは、信号発生部１４１ｄと、触覚検知可能なもの発生デバイス１４４ｄとを含んで構成される。本実施形態においては、触覚検知可能なもの発生デバイス１４４ｄが熱発生デバイスである場合について説明する。
信号発生部１４１ｄは、制御部１２から第１のタイミング通知信号が入力されると、メモリ１１６から第１の熱発生パターンを示す情報を読み出す。ここで、熱パターンとは、例えば、皮膚に刺激を与える温度の高低のことである。信号発生部１４１ｄは、読み出した第１の熱発生パターンを示す情報に応じた熱パターン、例えば、吸気のタイミングを通知する場合、高い温度で皮膚に刺激を与える信号を示す高温信号を触覚検知可能なもの発生デバイス１４４ｄに出力する。信号発生部１４１ｄは、制御部１２から第２のタイミング通知信号が入力されると、メモリ１１６から第２の熱発生パターンを示す情報を読み出す。信号発生部１４１ｄは、読み出した第２の熱発生パターンを示す情報に応じた熱パターン、例えば、吸気のタイミングを通知する場合、低い温度で皮膚に刺激を与える信号を示す低温信号を触覚検知可能なもの発生デバイス１４４ｄに出力する。
【０１０２】
触覚検知可能なもの発生デバイス１４４ｄは、電気信号が入力されることで加温または冷却するデバイスである。信号発生部１４１ｄから入力される高温信号または低温信号に応じて熱を発生させる。触覚検知可能なもの発生デバイス１４４ｄは、発生させた熱で皮膚に刺激を加えることで、生体音収集のタイミングを通知する。
【０１０３】
このように、本実施形態によれば、生体音の収集におけるタイミングを確実に通知することができる。また、熱による通知は、熱発生時に不要音が発生しないため、生体音への影響がない。そのため、通知による不要音を除去する手段を削減できる。
【０１０４】
（第７の実施形態の変形例）
第７の実施形態において、スイッチ部１３が検出信号を検出することで生体音の収集を行うタイミングを、触覚検知可能なもの発生デバイス１４４ｄを用いて熱で通知する場合について説明した。第７の実施形態の変形例では、スイッチ部１３を用いることなく生体音の収集を行うタイミングを、触覚検知可能なもの発生デバイス１４４ｄを用いて熱で通知する場合について説明する。
【０１０５】
図１５は、本発明の第７の実施形態の変形例に係る生体音収集装置１ｅの構成の一例を示す概略ブロック図である。
第７の実施形態における生体音収集装置１ｄの構成と、第７の実施形態の変形例における生体音収集装置１ｅの構成とを比較するとスイッチ部１３と、制御部１２のスイッチ状態判定部１２１が削除され、制御部１２ｃに繰り返し回数判定部１２２ｃが追加されている。その他の構成は同様であるので説明は省略する。また、制御部１２ｃの繰り返し回数判定部１２２ｃの構成は、第２の実施形態における制御部１２ｃの繰り返し回数判定部１２２ｃと同様の構成であるので説明は省略する。
【０１０６】
このように、本実施形態によれば、スイッチ部１３を省くことで、生体音収集装置１ｅの筺体１０や内部構成をコンパクトかつシンプルに実現することができる。
【０１０７】
（第８の実施形態）
第１の実施形態では、生体音収集におけるタイミングを、振動発生デバイス１４２を用いて通知する場合について説明した。本実施形態では、生体音収集におけるタイミングを、触覚検知可能なもの発生デバイス１４４ｄを用いて風で通知する場合について説明する。
【０１０８】
図１４は、第８の実施形態に係る生体音収集装置１ｄの構成の一例を示す概略ブロック図である。
第１の実施形態における生体音収集装置１の構成と、第８の実施形態における生体音収集装置１ｄの構成とを比較すると、タイミング通知部１４ｄの構成が異なる。その他の構成は同様であるので説明は省略する。
【０１０９】
生体音収集装置１ｄのタイミング通知部１４ｄは、信号発生部１４１ｄと、触覚検知可能なもの発生デバイス１４４ｄとを含んで構成される。本実施形態においては、触覚検知可能なもの発生デバイス１４４ｄが風発生デバイスである場合について説明する。
信号発生部１４１ｄは、制御部１２から第１のタイミング通知信号が入力されると、メモリ１１６から第１の風発生パターンを示す情報を読み出す。ここで、風パターンとは、例えば、皮膚に刺激を与える風の回数、風の強さのことである。信号発生部１４１ｄは、読み出した第１の風発生パターンを示す情報に応じた風パターン、例えば、吸気のタイミングを通知する場合、強い風で皮膚に刺激を与える信号を示す強風信号を触覚検知可能なもの発生デバイス１４４ｄに出力する。信号発生部１４１ｄは、制御部１２から第２のタイミング通知信号が入力されると、メモリ１１６から第２の風発生パターンを示す情報を読み出す。信号発生部１４１ｄは、読み出した第２の風発生パターンを示す情報に応じた風パターン、例えば、吸気のタイミングを通知する場合、弱風で皮膚に刺激を与える信号を示す弱風信号を触覚検知可能なもの発生デバイス１４４ｄに出力する。
【０１１０】
触覚検知可能なもの発生デバイス１４４ｄは、ファンや空気圧縮デバイスを備え、強風信号または弱風信号に応じて風を発生させる。触覚検知可能なもの発生デバイス１４４ｄは、発生させた風で皮膚に刺激を加えることで、生体音収集のタイミングを通知する。
【０１１１】
このように、本実施形態によれば、生体音の収集におけるタイミングを確実に通知することができる。また、風による通知は、間接的に（直接触れることなく）触覚に訴えかけることができるため、タイミング通知部１４ｄを手に保持することや、身体に当接させる必要がなく、被験者への負担を少なくでき、また、衛生的にタイミングを通知することができる。
【０１１２】
（第８の実施形態の変形例）
第８の実施形態において、スイッチ部１３が検出信号を検出することで生体音の収集を行うタイミングを、触覚検知可能なもの発生デバイス１４４ｄを用いて通知する場合について説明した。第８の実施形態の変形例では、スイッチ部１３を用いることなく生体音の収集を行うタイミングを、触覚検知可能なもの発生デバイス１４４ｄを用いて風で通知する場合について説明する。
【０１１３】
図１５は、本発明の第８の実施形態の変形例に係る生体音収集装置１ｅの構成の一例を示す概略ブロック図である。
第８の実施形態における生体音収集装置１ｄの構成と、第８の実施形態の変形例における生体音収集装置１ｅの構成とを比較するとスイッチ部１３と、制御部１２のスイッチ状態判定部１２１が削除され、制御部１２ｃに繰り返し回数判定部１２２ｃが追加されている。その他の構成は同様であるので説明は省略する。また、制御部１２ｃの繰り返し回数判定部１２２ｃの構成は、第２の実施形態における制御部１２ｃの繰り返し回数判定部１２２ｃと同様の構成であるので説明は省略する。
【０１１４】
このように、本実施形態によれば、スイッチ部１３を省くことで、生体音収集装置１ｅの筺体１０や内部構成をコンパクトかつシンプルに実現することができる。
【０１１５】
（第９の実施形態）
第１の実施形態では、生体音収集におけるタイミングを、振動発生デバイス１４２を用いて通知する場合について説明した。本実施形態では、生体音収集におけるタイミングを、複数のデバイス、例えば、振動発生デバイス１４２と、触覚検知可能なもの発生デバイス１４４ｄとを用いて通知する場合について説明する。
【０１１６】
図１６は、第９の実施形態に係る生体音収集装置１ｍの構成の一例を示す概略ブロック図である。
第１の実施形態における生体音収集装置１の構成と、第９の実施形態における生体音収集装置１ｍの構成とを比較すると、第１タイミング通知部１４と、第２タイミング通知部１４ｄの構成が異なる。その他の構成は同様であるので説明は省略する。
【０１１７】
生体音収集装置１ｍの第１タイミング通知部１４は、信号発生部１４１と、振動発生デバイス１４２とを含んで構成される。第１タイミング通知部１４の構成は、第１の実施形態におけるタイミング通知部１４の構成と同様であるので説明は省略する。
生体音収集装置１ｍの第２タイミング通知部１４ｄは、信号発生部１４１ｄと、触覚検知可能なもの発生デバイス１４４ｄとを含んで構成される。本実施形態においては、触覚検知可能なもの発生デバイス１４４ｄが熱発生デバイスである場合について説明する。第２タイミング通知部１４ｄの構成は、第７の実施形態におけるタイミング通知部１４ｄの構成と同様であるので説明は省略する。
【０１１８】
このように、本実施形態によれば、触覚の２種類の通知手段を同時に利用することで、生体音の収集におけるタイミングをより確実に通知することができる。
なお、本実施形態では振動と熱による通知を説明したが、これに限らず衝撃その他との組合せを行ってもよい。また、本実施形態では２種類の通知手段による通知を説明したが、これに限らず、３種類以上の通知手段による通知を行ってもよい。通知手段が増える事でさらに確実に生体音収集におけるタイミングを通知することができる。
【０１１９】
（第９の実施形態の変形例）
第９の実施形態において、スイッチ部１３が検出信号を検出することで生体音の収集を行うタイミングを、振動発生デバイス１４２と、触覚検知可能なもの発生デバイス１４４ｄとを用いて通知する場合について説明した。第９の実施形態の変形例では、スイッチ部１３を用いることなく生体音の収集を行うタイミングを、振動発生デバイス１４２と、触覚検知可能なもの発生デバイス１４４ｄとを用いて通知する場合について説明する。本実施形態においては、触覚検知可能なもの発生デバイス１４４ｄが熱発生デバイスである場合について説明する。
【０１２０】
図１７は、本発明の第９の実施形態の変形例に係る生体音収集装置１ｎの構成の一例を示す概略ブロック図である。
第９の実施形態における生体音収集装置１ｍの構成と、第９の実施形態の変形例における生体音収集装置１ｎの構成とを比較すると、スイッチ部１３と、制御部１２のスイッチ状態判定部１２１が削除され、制御部１２ｃに繰り返し回数判定部１２２ｃが追加されている。その他の構成は同様であるので説明は省略する。また、制御部１２ｃの繰り返し回数判定部１２２ｃの構成は、第２の実施形態における制御部１２ｃの繰り返し回数判定部１２２ｃと同様の構成であるので説明は省略する。
【０１２１】
このように、本実施形態によれば、スイッチ部１３を省くことで、生体音収集装置１ｎの筺体１０や内部構成をコンパクトかつシンプルに実現することができる。
【０１２２】
なお、各実施形態における第１の閾値と第２の閾値とは、性別、年齢、地域、国、体格、体調などで設定してもよい。また、第１生体音の収集における第１の閾値と第２生体音における第１の閾値とで異なる閾値を用いてもよく、第１生体音の収集における第２の閾値と第２生体音における第２の閾値とで異なる閾値を用いてもよい。
さらに、第１生体音の収集と、第２生体音の収集との間に一時的な待機、例えば、呼気の生体音の収集と吸気の生体音を収集との間に、息を止める動作などを追加してもよい。
また、本実施形態において、タイミング通知部１４が通知するタイミングは、呼気、および吸気のタイミングに限定されず、関節を伸ばすタイミングおよび関節を曲げるタイミングであってもよく、２対になった人体の動作、（例えば、関節の屈伸や肺の呼吸など）を伴う生体音の収集であればタイミングを通知できる。
【０１２３】
なお、上述した実施形態における生体音収集装置の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、生体音収集装置に内蔵されたコンピュータシステムであって、ＯＳや周辺機器等のハードウェアを含むものとする。
【０１２４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【０１２５】
また上記プログラムは、前述した機能の一部を実現するためのものであっても良く、さらに前述した機能をコンピュータシステムにすでに記録されているプログラムとの組み合わせで実現できるものであっても良い。
【０１２６】
また、上述した実施形態における生体音収集装置の一部、または全部を、ＬＳＩ（Ｌａｒｇｅ  Ｓｃａｌｅ  Ｉｎｔｅｇｒａｔｉｏｎ）等の集積回路として実現しても良い。生体音収集装置の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１２７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１２８】
被験者の生体音を収集する集音部１１２と、前記生体音を生じさせる複数のタイミングを、皮膚に刺激で通知するタイミング通知部１４と、前記タイミングを決定する制御部（１２、１２ｃ）とを備えることを特徴とする生体音収集装置（１、１ａ、１ｂ、１ｃ、１ｄ、１ｅ、１ｍ、１ｎ）。
【０１２９】
前記生体音を録音する録音部１１をさらに備え、前記刺激は、振動、圧力、熱、風、衝撃、接触のうちいずれかによって与えられるものであることを特徴とする生体音収集装置（１、１ａ、１ｂ、１ｃ、１ｄ、１ｅ、１ｍ、１ｎ）。
【０１３０】
前記タイミング通知部１４が通知した前記刺激により生じる刺激音を、前記集音部１１２が収集した前記生体音から除去し、除去生体音を生成する振動音除去部１１５１ｂをさらに備えることを特徴とする生体音収集装置（１、１ａ、１ｂ、１ｃ、１ｄ、１ｅ、１ｍ、１ｎ）。
【０１３１】
検出信号を生成するスイッチ部１３をさらに備え、前記集音部１１２は、生体に当接して前記生体音に応じて振動する振動板１１１と、前記振動板１１１の同縁部を囲って支持する振動板保持部材１６と、を有し、前記スイッチ部１３は、前記振動板保持部材１６に取り付けられ、前記制御部１２は、前記検出信号に基づいて、前記タイミングのうち少なくとも最初のタイミングを決定することを特徴とする生体音収集装置（１、１ａ、１ｂ、１ｄ、１ｍ）。
【０１３２】
前記スイッチ部１３は、前記振動板保持部材１６のうち生体表面と当接する部分に取り付けられることを特徴とする生体音収集装置（１、１ａ、１ｂ、１ｄ、１ｍ）。
【０１３３】
前記制御部（１２、１２ｃ）は、前記集音部１１２が収集する前記生体音の大きさを用いて、前記タイミングを決定することを特徴とする生体音収集装置（１、１ａ、１ｂ、１ｃ、１ｄ、１ｅ、１ｍ、１ｎ）。
【０１３４】
前記制御部（１２、１２ｃ）は、前記集音部１１２が収集する前記生体音が第１の閾値より大きくなったのち、前記第１の閾値より小さい第２の閾値以下になったときを前記タイミングとすることを特徴とする生体音収集装置（１、１ａ、１ｂ、１ｃ、１ｄ、１ｅ、１ｍ、１ｎ）。
【０１３５】
前記制御部（１２、１２ｃ）は、前記第１の閾値または前記第２の閾値を、前記被験者の年齢情報、性別情報、身体情報、体調情報の少なくともいずれかの情報に基づいて、変更することを特徴とする生体音収集装置（１、１ａ、１ｂ、１ｃ、１ｄ、１ｅ、１ｍ、１ｎ）。
【０１３６】
被験者の生体音を収集する集音手順と、前記生体音を生じさせる複数のタイミングを、皮膚に刺激で通知するタイミング通知手順と、前記タイミングを決定する制御手順とを有することを特徴とする生体音収集方法。
【符号の説明】
【０１３７】
１、１ａ、１ｂ、１ｃ、１ｄ、１ｅ、１ｍ、１ｎ  生体音収集装置
２  イヤホン
３  端末装置
１０  筺体
１１  録音部
１１１  振動板
１１２  集音部
１１３  マイク
１１４  Ａ／Ｄ部
１１５  データ処理部
１１６  メモリ
１２  制御部
１２１  スイッチ状態判定部
１３  スイッチ部
１４  タイミング通知部（第１タイミング通知部）
１４ｄ  タイミング通知部
１４１  信号発生部
１４１ｄ  信号発生部
１４２、１４２ａ、１４３ａ  振動発生デバイス
１４４ｄ  触覚検知可能なもの発生デバイス
１５  Ｄ／Ａ部
１６  振動板保持部材
１７  接触面部
１１５１ｂ  振動音除去部
１２ｃ  制御部
１２２ｃ  繰り返し回数判定部
【図１】
2014100283.tif 000003
【図２】
2014100283.tif 000004
【図３】
2014100283.tif 000005
【図４】
2014100283.tif 000006
【図５】
2014100283.tif 000007
【図６】
2014100283.tif 000008
【図７】
2014100283.tif 000009
【図８】
2014100283.tif 000010
【図９】
2014100283.tif 000011
【図１０】
2014100283.tif 000012
【図１１】
2014100283.tif 000013
【図１２】
2014100283.tif 000014
【図１３】
2014100283.tif 000015
【図１４】
2014100283.tif 000016
【図１５】
2014100283.tif 000017
【図１６】
2014100283.tif 000018
【図１７】
2014100283.tif 000019